(57)【要約】      （修正有）【課題】損傷を防止し、耐久性に優れたスプリンクラー配管用フレキシブル管を提供する。【解決手段】スプリンクラー配管に用いられるステンレス製フレキシブル管をＵＬ２２４規格に準じた特性を有する難燃性樹脂を被覆、特に、柔軟性が優れた軟質難燃性ポリ塩化ビニル樹脂を被覆する。【選択図】図１
0003162758.tif 000002
【実用新案登録請求の範囲】
【請求項１】
ＵＬ２２４規格に準じた特性を有する難燃性樹脂を被覆したことを特徴とするスプリンクラー配管用ステンレス製フレキシブル管。
【請求項２】
上記難燃性樹脂がポリ塩化ビニル樹脂である請求項１記載のスプリンクラー配管用ステンレス製フレキシブル管。
【考案の詳細な説明】
【技術分野】
【０００１】
本考案は、難燃性樹脂被覆フレキシブル管に関し、詳しくは、ＵＬ２２４規格に準
じた特性を有する難燃性樹脂を被覆したスプリンクラー配管用ステンレス製フレキシ
ブル管に関する。
【背景技術】
【０００２】
スプリンクラー配管は、送水配管から分岐されたスプリンクラー配管（以下、ＳＰ管という場合がある）が、必要により複数の管を接続して、天井裏に配管され、天井に設置されるスプリンクラーヘッドに接続される。このスプリンクラーヘッドが接続されるＳＰ管は、曲げて配管されることから、ステンレス製フレキシブル管が用いられる。
【０００３】
フレキシブル管は、本来屈折配管する箇所での使用を目的とすることから、可撓性を付与するため肉厚が薄く加工され、耐久性が必ずしも十分でないために衝撃を受けた場合、損傷する恐れがある。
【０００４】
フレキシブル管が配設される天井裏にはその他にダクトあるいは電気配線等が併設されている場合があることから、それらの作業中に誤ってフレキシブル管に衝撃を与えた場合、あるいは電気溶接やＳＰ管とアースを取った他の金属部材との間で火花（スパーク）が発生した場合など、フレキシブル管が損傷（穴、亀裂など）を受ける場合がある。
【０００５】
一般のフレキシブル管については、上記の如き損傷を防止するために、各種のプラスチック（樹脂）材料を被覆したフレキシブル管についての多くの提案がなされている。例えば、特許文献１では、ショアデュロメータ硬さ（Ｄ形）が１８〜３７、内面に０．０５〜２．３５ｍｍの突起を有し、厚みが０．５〜２．８ｍｍの塩化ビニル樹脂を被覆したフレキシブル鋼管を提案している。
【０００６】
また、特許文献２では、層状のケイ酸塩、カーボンブラック、フッ素樹脂などの難燃助剤などを添加した熱可塑性樹脂組成物を被覆したステンレス製フレキシブル管を提案している。この樹脂組成物は、燃焼により焼結体を形成し、焼結後も形状の崩壊が起こらないとされている。さらに特許文献３では、従来多く使用されてきた塩化ビニル樹脂（ＰＶＣ）に代えて、エチレン成分とα、β−不飽和カルボン酸との共重合体、エチレンプロピレンゴム及びポリプロピレンからなるベース樹脂に難燃剤として金属水和物を添加した熱可塑性樹脂組成物を被覆したフレキシブル管を提案している。
【先行技術文献】
【特許文献】
【０００７】
【特許文献１】特開平９−３１４０４８号公報
【特許文献２】特開２００２−３３８８３０号公報
【特許文献３】特開２００３−１０３６６５号公報
【考案の概要】
【考案が解決しようとする課題】
【０００８】
一般のフレキシブル管については、上記のように、当該管をプラスチック（樹脂）材料で被覆した多くの技術が存在する。他方、スプリンクラー配管（ＳＰ管）に用いるステンレス製フレキシブル管について、プラスチック材料で被覆する提案はなされていない。しかし、スプリンクラー配管（ＳＰ管）として用いるステンレス製フレキシブル管について、損傷を受ける可能性があることは前述のとおりであり、しかも、天井裏に設置されることから、損傷を受けた場合その補修に手間を要し、スプリンクラーが数十個も設置されている大きな室にあっては、その補修は容易ではなく、費用が嵩むことになる。
【０００９】
したがって、ＳＰ管に使用されるステンレス製フレキシブル管をプラスチック材料で被覆して耐久性を高めることは、当業界において極めて意義のあることである。したがって、本考案の目的は、ＳＰ管に用いられるステンレス製フレキシブル管を被覆するための優れた特性を有するプラスチック材料を見出し、ステンレス製フレキシブル管を被覆することによって、損傷を防止し、耐久性に優れたＳＰ管用ステンレス製フレキシブル管を開発することにある。
【課題を解決するための手段】
【００１０】
本考案者らは、上記課題を解決するため鋭意検討した結果、ＵＬ２２４規格に準じた特性を有する難燃性樹脂は難燃（耐熱性）性に優れていることに加えて、絶縁性、柔軟性を備えており、天上裏に設置されるスプリンクラー配管に用いられるステンレス製フレキシブル管の被覆材として優れた特性を有していることを見出した。
【００１１】
すなわち、本考案は、ＵＬ２２４規格に準じた特性を有する難燃性樹脂を被覆したスプリンクラー配管用ステンレス製フレキシブル管を提供するものであり、また、
本考案は、ＵＬ２２４規格に準じた特性を有する軟質難燃性ポリ塩化ビニル樹脂を被覆したスプリンクラー配管用ステンレス製フレキシブル管を提供するものである
【考案の効果】
【００１２】
本考案のステンレス製フレキシブル管は、ＵＬ２２４規格に準じた特性を有する難燃性樹脂によって被覆されているため、フレキシブル管が衝撃、あるいは溶接時の火花等による損傷を防ぐことができる。また、当該樹脂が軟質難燃性ポリ塩化ビニル樹脂は、透明であって、特に柔軟性が優れているので、フレキシブル管としての特性を損なうことなく配管することができる。
【図面の簡単な説明】
【００１３】
【図１】本考案の軟質難燃性ポリ塩化ビニル樹脂を被覆したスプリンクラー用ステンレス製フレキシブル管の一部切欠き図である。
【考案を実施するための形態】
【００１４】
以下、本考案の一実施例を図面に基づいて説明する。
１．は、ヘッド金具（配管用ステンレス鋼管：ＳＵＳ３０４ＴＰ）、２．は、軟質難燃性ポリ塩化ビニル樹脂（透明）、３．は、チューブ（冷間圧延ステンレス鋼帯：ＳＵＳ３０４）、４．は、ニップル（ボイラ・熱交換用ステンレス鋼管：ＳＵＳ３０４ＴＢ）である。
【００１５】
ＵＬ２２４規格は、米国火災保険協会が火災から消費者を守るという、いわば火災保険業者の自衛手段として生まれたもので、しかも絶縁性に優れていることもあり、現在においては、米国、連邦政府、州政府など各種機関で広く採用されている規格である。したがって、ＵＬ２２４規格に準ずる特性を有する樹脂は、また、電気配線等が併設される建造物の天井裏に配管される材料として防災上からも適している。
このようなＵＬ２２４規格に準じた特性を有する樹脂として、軟質難燃性ポリ塩化ビニル樹脂（例えば、スミチューブＶ：住友電工ファインポリマー株式会社）、架橋ポリオレフィン（例えば、ピーメックス：住友電工株式会社）などが市販されており、これらの難燃性樹脂は、高価なこともあって、電気製品分野において、主として絶縁の目的に使用されている。
【００１６】
そして、上記図１においては、ＵＬ２２４規格に準じた特性を有する難燃性樹脂の中でも、特に柔軟性が優れており、しかも、絶縁性を備え、透明でもあることから、軟質難燃性ポリ塩化ビニル樹脂（スミチューブＶ：住友電工ファインポリマー株式会社）を用いたものである。したがって、フレキシブル管がどのような角度で配管されても、クラック等が入ることなく対応することができる。
なお、着色した樹脂被覆層２．を希望する場合は、軟質難燃性ポリ塩化ビニル樹脂に所望する色の着色剤を加えて着色することは任意である。
【産業上の利用可能性】
【００１７】
以上のとおり、肉薄に冷間圧延加工されたチューブ３．がＵＬ２２４規格に準じた特性を有する難燃性樹脂により被覆されたことによって、衝撃、溶接による火花等から保護され、耐久性の優れたスプリンクラー配管用のフレキシブル管が提供される。
【符号の説明】
【００１８】
１      ヘッド金具
２      樹脂被覆層
３      チューブ
４      ニップル
【図１】
0003162758.tif 000003